(57)【要約】【課題】比較的シンプルな形状にして液状の内容物を充填した際の自立性と内容物を注出する際の使いやすさを考慮した自立袋を提供すること。【解決手段】二つ折りされた底テープと表裏二枚の本体フィルムの両端縁を側部シール（１１）し、下部端縁を船底形状に底部シール（１２）してなる自立袋（１０）において、自立袋の天部（１３）の開口部の未シール部分の幅が、自立袋の最大幅の４０〜８０％になるように天部の上縁から下方の側部シールに向けて左右対称に徐徐に未シール幅を広くした傾斜部シール（１４）を形成させ、傾斜部シールと側部シールの交差部分（ｋ）が自立袋の高さの半分より下方に位置するようにした。傾斜部シールの片方若しくは両方の側部シールとの交差部分近傍に切り欠き（１６）を穿設しても良い。【選択図】図１
2005008193.tif 000002
【特許請求の範囲】
【請求項１】
二つ折りされた底テープと表裏二枚の本体フィルムの両端縁を側部シールし、下部端縁を船底形状に底部シールしてなる自立袋において、
該自立袋の天部の開口部の未シール部分の幅が、自立袋の最大幅の４０〜８０％になるように、天部の上縁から下方の側部シールに向けて、左右対称に徐徐に未シール幅を広くした傾斜部シールを形成させ、該傾斜部シールと側部シールの交差部分が、自立袋の高さの半分より下方に位置するようにしたことを特徴とする、自立袋。
【請求項２】
前記傾斜部シールの一方の角隅寄りを、上方の天部から下方の側部シールとの交差部分に向けて、傾斜部シールのシール幅が徐徐に幅狭になるように切断したことを特徴とする、請求項１に記載の自立袋。
【請求項３】
前記傾斜部シールの両方の角隅寄りを、上方の天部から下方の側部シールとの交差部分に向けて、傾斜部シールのシール幅が徐徐に幅狭になるように左右対称に切断したことを特徴とする、請求項に１記載の自立袋。
【請求項４】
前記傾斜部シールの片方若しくは両方の側部シールとの交差部分近傍に切り欠きが穿設されていることを特徴とする、請求項１〜３のいずれか１項に記載の自立袋。
【請求項５】
前記角隅を切断してない方の傾斜部シールの上部角隅部分に、取っ手を付与したことを特徴とする、請求項１又は２に記載の自立袋。
【請求項６】
前記天部には口栓を付与したことを特徴とする、請求項１〜５のいずれか１項に記載の自立袋。
【発明の詳細な説明】
【０００１】
【発明の属する技術分野】
本発明は軟包装材料からなる比較的大型の、特に水などの液体充填用の自立袋に関するものであり、特に充填時の自立性と注出時の使い易さを考慮した自立袋に関する。
【０００２】
【従来の技術】
従来、自立性と使い易さを考慮した比較的大型で液体充填用の自立袋としては、側部の形状に特徴を持たせ、例えば、無理にくびれを持たせることにより、自立袋の剛性を高め、自立袋の保形性を高めることが出来、くびれ部分を手で持つことにより自立袋を持ち易くしていた（例えば、特許文献１参照）。
【０００３】
【特許文献１】
特願平５−１１６２３７号公報（図５）
【０００４】
しかしながら、この種の自立袋は、どこを持たせるのか明確に表示されていないため扱いづらく、また、内容物が充填された胴部を持つことが多いため握力を調整する必要がある等の問題がある。
【０００５】
【発明が解決しようとする課題】
本発明は、比較的大容量の自立袋に関する以上のような問題点を解決するためになされたもので、比較的シンプルな形状にして液状の内容物を充填した際の自立性と、内容物を注出する際の使いやすさを考慮した自立袋を提供することを課題とする。
【０００６】
【課題を解決するための手段】
本発明の請求項１の発明は、二つ折りされた底テープと表裏二枚の本体フィルムの両端縁を側部シールし、下部端縁を船底形状に底部シールしてなる自立袋において、該自立袋の天部の開口部の未シール部分の幅が、自立袋の最大幅の４０〜８０％になるように、天部の上縁から下方の側部シールに向けて、左右対称に徐徐に未シール幅を広くした傾斜部シールを形成させ、該傾斜部シールと側部シールの交差部分が、自立袋の高さの半分より下方に位置するようにしたことを特徴とする、自立袋である。
【０００７】
このように請求項１記載の発明によれば、自立袋の天部の開口部の未シール部部の幅が、自立袋の最大幅に対して４０〜８０％になるように、天部の上縁から下方の側部シールに向けて、左右対称に徐徐に未シール幅を広くした傾斜部シールを形成させ、該傾斜部シールと側部シールの交差部分が、自立袋の高さの半分より下方に位置するようにしたので、内容物を充填した自立袋は、内容物の重量の影響を受けて傾斜部シールした部分が片側に入り込み自立性が安定する。
【０００８】
また、請求項２の発明は、請求項１の発明において、前記傾斜部シールの一方の角隅寄りを、上方の天部から下方の側部シールとの交差部分に向けて、傾斜部シールのシール幅が徐徐に幅狭になるように切断したことを特徴とする、自立袋である。
【０００９】
このように請求項２記載の発明によれば、傾斜部シールの一方の角隅寄りを、上方の天部から下方の側部シールとの交差部分に向けて、傾斜部シールのシール幅が徐徐に幅狭になるように切断したので、傾斜部シールの狭幅部分にあたるところに入り込み部が位置して、上部のシールの幅広い部分に入り込むことがない。
【００１０】
また、請求項３の発明は、請求項１の発明において、前記傾斜部シールの両方の角隅寄りを、上方の天部から下方の側部シールとの交差部分に向けて、傾斜部シールのシール幅が徐徐に幅狭になるように左右対称に切断したことを特徴とする、自立袋である。
【００１１】
このように請求項３記載の発明によれば、傾斜部シールの両方の角隅寄りを、上方の天部から下方の側部シールとの交差部分に向けて、傾斜部シールのシール幅が徐徐に幅狭になるように左右対称に切断したので、左右対称の入り込みをした自立袋になり、見た目がバランスが良く見える。
【００１２】
また、請求項４の発明は、請求項１〜３のいずれか１項に記載の発明において、前記傾斜部シールの片方若しくは両方の側部シールとの交差部分近傍に切り欠きが穿設されていることを特徴とする、自立袋である。
【００１３】
このように請求項４記載の発明によれば、傾斜部シールの片方若しくは両方の側部シールとの交差部分近傍に切り欠きが穿設されているので、上部の傾斜部シールが内側に巻き込まれて行くことを防いでいる。
【００１４】
また、請求項５の発明は、請求項１又は２に記載の発明において、前記角隅を切断してない方の傾斜部シールの上部角隅部分に、取っ手を付与したことを特徴とする、自立袋である。
【００１５】
このように請求項５記載の発明によれば、内容物を充填後は自立袋の上部は略円柱状になるため、取っ手が設けられていると自立袋をつかみ易い。
【００１６】
また、請求項６の発明は、請求項１〜５のいずれか１項に記載の発明において、前記天部には口栓を付与したことを特徴とする、自立袋である。
【００１７】
このように請求項６記載の発明によれば、天部に口栓を付与しておくことにより、自立袋から内容物を注ぎ出す際、便利になる。
【００１８】
【発明の実施の形態】
本発明の自立袋を一実施形態に基づいて以下に詳細に説明する。
本発明の自立袋（１０）は、例えば図１、図２、図３、図４に示すように、二つ折りされた底テープと表裏二枚の本体フィルムの両端縁を側部シール（１１、１１）し、下部端縁を船底形状に底部シール（１２）してなる自立袋において、自立袋の天部（１３）の開口部の未シール部分の幅（Ｅ）が、自立袋の最大幅（Ｆ）の４０〜８０％になるように、天部の上縁から下方の側部シール（１１）に向けて、左右対称に徐徐に未シール幅を広くした傾斜部シール（１４、１４）を形成させ、該傾斜部シールと側部シールの交差部分（ｋ）が、自立袋の高さの半分より下方に位置するようにしたものである。
【００１９】
Ｅ／Ｆを０．４〜０．８、より好ましくは０．４〜０．６に設定することにより、水等の液体を充填して天部を密封シールした自立袋を、例えば、底面に置いた際、自然にくびれが発生して安定して底面に置くことができ、自立性が向上する。
【００２０】
Ｅ／Ｆが０．４未満であると、大きなくびれが発生するがこのくびれのバランスが悪くなりやすく、上部が傾き易いという不都合が発生し、また、Ｅ／Ｆが０．８を越えると、傾斜部シールが略垂直になり、傾斜部でなく側部シール（１１）にくびれが発生してしまい底部シール（１２）との交点に過負荷がかかることになり、自立袋の落下衝撃強度の支えになる交点への過負荷は品質上好ましくないというう不都合が発生する。
【００２１】
そして、傾斜部シール（１４、１４）の一方又は両方の角隅寄りを、上方の天部上縁から下方の側部シール（１１、１１）との交差部分（ｋ、ｋ）に向けて、傾斜部シールのシール幅を徐徐に狭幅になるように切断（１５）しても良い。
【００２２】
傾斜部シール（１４、１４）の一方又は両方の角隅寄りを、図４に示すように、シール幅が徐徐に狭くなるように切断することにより、傾斜部シールの狭幅部分に入り込み部が位置するので、傾斜部シールの広幅部分に入り込むことがない。
【００２３】
また、傾斜部シール（１４、１４）の片方若しくは両方の側部シール（１１、１１）との交差部分（ｋ、ｋ）の近傍に切り欠き（１６、１６）を穿設しておくと、自立袋に液体等の内容物を充填して天部をヒートシール等して密封して自立させた際、上部の傾斜部シールが内側に巻き込まれる度合いが少なくて済む（図５参照）。
切り欠き（１６）の形状は、半円形、丸形などが好ましい。
【００２４】
さらに、角隅を切断していない方の傾斜部シールの上部角隅部分に、取っ手（１７）を付与しておくことにより、液体の内容物を充填した後、自立袋の上部は略円柱状になるため、自立袋が持ち易くなる（図２、図４、図５参照）。
取っ手（１７）は、孔をあけても良いし、別体を取り付けても良い。
【００２５】
天部（１３）に口栓（１８）を取り付けることにより、内容物を注出する際、効率良く、内容物を注ぎ出すことができる。口栓（１８）は天部ではなく、傾斜部シール（１４）の部分に取り付けることもできる。
【００２６】
自立袋（１０）を作製する際に使用する底テープや本体フィルムの材質構成は、特に限定されるものではなく、例えば、ポリエチレンテレフタレートフィルム／ナイロンフィルム／直鎖状低密度ポリエチレンフィルムの三層から構成される複合フィルムなど、一般的に公知の複合フィルムを使用すれば良い。
【００２７】
【実施例】
以下実施例により本発明の自立袋をさらに詳細に説明する。
〈実施例１〉
先ず、本体フィルムおよび底テープとして、ポリエチレンテレフタレートフィルム（厚さ１２μｍ）／ナイロンフィルム（厚さ１５μｍ）／直鎖状低密度ポリエチレンフィルム（厚さ１５０μｍ）の三層構成からなる複合フィルムを準備した。
【００２８】
このような層構成からなる本体フィルムと底テープを用いて、高さ（Ｈ）；２７０ｍｍ、幅（Ｆ）；２２０ｍｍ、自立袋の底辺から傾斜部シールが側部シールと交差する点（ｋ）までの長さ；１１０ｍｍ、天部の傾斜部シールの切断部分の長さ（Ｂ）；５０ｍｍ、切断された傾斜部シールの側部シールと交差する点の幅（Ｃ）；８ｍｍ、切断された傾斜部シールの天部近傍での幅（Ｄ）；１０ｍｍ、からなる図２、図４に示すような形状の自立袋を、一般的に公知の自立袋用の製袋機と断裁機を使用して作製し、実施例１の自立袋とした。このときのＥ／Ｆは５５％であった。
【００２９】
なお、切断してない角隅部分には長孔を穿設して取っ手（１７）とし、また、天部にはプラスチック製の口栓（１８）を取り付けた。
【００３０】
この実施例１の自立袋に２リットルの水を充填したところ、傾斜部シール（１４）が水の重量の影響を受けて図５に示すように入り込み、くびれが発生して自立性が安定することが判った。
そして切り欠き（１６）が設けられているので、傾斜部シール（１４）が内側に余り巻き込まれず、形よく自立している。
また、取っ手（１７）や口栓（１８）が取り付けられており、持ち易く、内容物を外に安定して注ぎ出すことができる。
【００３１】
【発明の効果】
本発明の自立袋は、以上のような形状から構成されているので、比較的シンプルで、液体を充填した際に自立性が安定し、内容物を注出する際にも使い易いという効果がある。
【図面の簡単な説明】
【図１】本発明の自立袋の一実施例を示す、平面説明図である。
【図２】本発明の自立袋の別の実施例を示す、平面説明図である。
【図３】本発明の自立袋のさらに別の実施例を示す、平面説明図である。
【図４】図２の自立袋の天部に口栓を取り付け、天部をシールした状態を示す、平面説明図である。
【図５】図４の自立袋に内容物を充填して自立させた状態を示す、斜視説明図である。
【符号の説明】
１０‥‥自立袋
１１‥‥側部シール
１２‥‥底部シール
１３‥‥天部
１４‥‥傾斜部シール
１５‥‥切断部分
１６‥‥切り欠き
１７‥‥取っ手
１８‥‥口栓
ｋ‥‥交差部分
【図１】
2005008193.tif 000003
【図２】
2005008193.tif 000004
【図３】
2005008193.tif 000005
【図４】
2005008193.tif 000006
【図５】
2005008193.tif 000007